(57)【要約】【課題】地上波ディジタル放送波や地上波ディジタルワンセグ放送波を利用する場合における利便性を向上させることができるようにする。【解決手段】本発明に係る情報処理装置に適用可能な携帯電話機２においては、主制御部３１は、携帯電話機２の位置情報を取得し、取得された位置情報に基づいて、放送波を記録する際の放送地域のチャネルリストを決定し、地上波ディジタルワンセグ放送波受信部４９は、放送波を受信し、記憶部４７は、受信された放送波を記録する。【選択図】  図４
2008147971.tif 000002
【特許請求の範囲】
【請求項１】
情報処理装置の位置情報を取得する取得手段と、
前記取得手段により取得された前記位置情報に基づいて、放送波を記録する際の放送地域のチャネルリストを決定する決定手段と、
前記放送波を受信する受信手段と、
前記受信手段により受信された前記放送波を記録する記録手段とを備えることを特徴とする情報処理装置。
【請求項２】
前記放送波の記録処理の際に、録画条件として、前記放送波を記録する際の放送地域のチャネルリストを複数設定する設定手段をさらに備え、
前記決定手段は、前記設定手段により設定された複数の放送地域のチャネルリストの中から、前記放送波を記録する際の放送地域のチャネルリストを決定することを特徴とする請求項１に記載の情報処理装置。
【請求項３】
前記決定手段により前記放送波を記録する際の放送地域のチャネルリストが決定されたか否かを判定する判定手段をさらに備え、
前記判定手段により、前記決定手段により前記放送波を記録する際の放送地域のチャネルリストが決定されていないと判定された場合、前記放送波の記録処理をキャンセルし、または、予め設定された優先度に従って前記放送波の記録処理を実行することを特徴とする請求項１に記載の情報処理装置。
【請求項４】
前記位置情報は、ＧＰＳ情報または基地局情報であることを特徴とする請求項１に記載の情報処理装置。
【請求項５】
情報処理装置の位置情報を取得する取得手段と、
前記取得手段により取得された前記位置情報に基づいて、放送波の視聴処理を実行する際の放送地域のチャネルリストを決定する決定手段と、
前記放送波を受信する受信手段と、
前記受信手段により受信された前記放送波の視聴処理の実行を制御する制御手段とを備えることを特徴とする情報処理装置。
【発明の詳細な説明】
【技術分野】
【０００１】
本発明は情報処理装置に係り、特に、地上波ディジタルワンセグ放送波や地上波ディジタル放送波を受信することができるようにした情報処理装置に関する。
【背景技術】
【０００２】
最近、地上波ディジタル放送が開始され、それに伴い、地上波ディジタルワンセグ放送も開始され、この地上波ディジタルワンセグ放送は例えば携帯電話機に代表される携帯端末で主に利用されている。例えば携帯電話機において地上波ディジタルワンセグ放送を利用する場合、以下のような処理が実行される。
【０００３】
すなわち、地上波ディジタルワンセグ放送波の予約録画処理を開始するとき、第１に、携帯電話機は、ユーザにより操作キーが操作されることにより入力された録画日、録画する放送チャネル、予約録画開始時刻、予約録画終了時刻などの録画条件に関する入力データに基づいて、録画条件を設定する。第２に、携帯電話機は、設定された予約録画開始時刻になると、地上波ディジタルワンセグ受信部を起動し、地上波ディジタルワンセグ受信部を介して、地上波ディジタルワンセグ放送波を受信し、受信された地上波ディジタルワンセグ放送波による放送番組を録画する。
【０００４】
また、地上波ディジタルワンセグ放送波の視聴処理を開始するとき、携帯電話機は、ユーザにより操作キーが操作されることにより入力された放送チャネルなどの視聴条件に関する入力データに基づいて、地上波ディジタルワンセグ受信部を起動し、地上波ディジタルワンセグ受信部を介して、地上波ディジタルワンセグ放送波を受信し、受信された地上波ディジタルワンセグ放送波による放送番組をユーザに視聴させる。
【０００５】
なお、地上波ディジタル放送波や地上波ディジタルワンセグ放送波を良好に受信することができる技術が提案されている（例えば特許文献１参照）。
【０００６】
特許文献１に提案されている技術によれば、再生予約されたＴＶ放送番組の受信を開始するまでに携帯電話機の位置情報を取得し、この位置情報に適合する番組情報を用いてＴＶ放送番組を受信するように制御することができる。これにより、予約時点と、受信時点での所在地域が異なっている場合であっても、ユーザが指定したとおりの番組を受信することができる。
【特許文献１】特開２００６−２００１０号公報
【発明の開示】
【発明が解決しようとする課題】
【０００７】
しかしながら、特許文献１に提案されている技術によれば、再生予約されたＴＶ放送番組の受信を開始するまでに携帯電話機の位置情報を取得し、この位置情報に適合する番組情報を用いてＴＶ放送番組を受信するように制御することができるが、ユーザが持ち運ぶことが可能であるという携帯電話機の特殊性から、地上波ディジタルワンセグ放送波の視聴処理または録画処理を実行する場合に不都合な状況が発生することがある。
【０００８】
具体的には、例えば地上波ディジタルワンセグ放送波の予約録画処理を実行する際に、放送地域が東京都である地上波ディジタルワンセグ放送波のうち、チャネル２１の放送番組を１９：００から予約録画すると予め設定されていた場合、ユーザが東京から京都まで出張に出かける用事があるために東京から京都に移動してしまい、予約録画開始時刻の１９：００の時点でユーザが京都に存在してしまうと、東京都の放送地域において放送局から送信される地上波ディジタルワンセグ放送波を携帯電話機は受信することができず、この予約録画処理は無効となってしてしまうという課題があった。
【０００９】
本発明は、このような状況に鑑みてなされたものであり、地上波ディジタル放送波や地上波ディジタルワンセグ放送波を利用する場合における利便性を向上させることができる情報処理装置を提供することを目的とする。
【課題を解決するための手段】
【００１０】
本発明の情報処理装置は、上述した課題を解決するために、情報処理装置の位置情報を取得する取得手段と、取得手段により取得された位置情報に基づいて、放送波を記録する際の放送地域のチャネルリストを決定する決定手段と、放送波を受信する受信手段と、受信手段により受信された放送波を記録する記録手段とを備えることを特徴とする。
【００１１】
本発明の情報処理装置は、上述した課題を解決するために、情報処理装置の位置情報を取得する取得手段と、取得手段により取得された位置情報に基づいて、放送波の視聴処理を実行する際の放送地域のチャネルリストを決定する決定手段と、放送波を受信する受信手段と、受信手段により受信された放送波の視聴処理の実行を制御する制御手段とを備えることを特徴とする。
【００１２】
本発明の情報処理装置においいては、情報処理装置の位置情報が取得され、取得された位置情報に基づいて、放送波を記録する際の放送地域のチャネルリストが決定され、放送波が受信され、受信された放送波が記録される。
【００１３】
本発明の情報処理装置においては、情報処理装置の位置情報が取得され、取得された位置情報に基づいて、放送波の視聴処理を実行する際の放送地域のチャネルリストが決定され、放送波が受信され、受信された放送波の視聴処理の実行が制御される。
【発明の効果】
【００１４】
本発明によれば、地上波ディジタル放送や地上波ディジタルワンセグ放送を利用する場合における利便性を向上させることができる。
【発明を実施するための最良の形態】
【００１５】
以下、本発明の実施の形態について、図面を参照しながら説明する。
【００１６】
図１は、本発明に係るネットワークシステム１の全体の構成を表している。
【００１７】
図１に示されるように、ネットワークシステム１には、放送局３が所定の場所に設置されており、この放送局３は、所定の放送地域内において地上波ディジタルワンセグ放送波と地上波ディジタル放送波を送信する。本発明に係る情報処理装置に適用可能な携帯電話機２は、内蔵される地上波ディジタルワンセグ受信部（例えば図４の地上波ディジタルワンセグ受信部４９）を介して、この放送局３からの地上波ディジタルワンセグ放送波を受信する。
【００１８】
また、ネットワークシステム１には、ＧＰＳ放送局４が所定の場所に設置されており、携帯電話機２は、内蔵されるＧＰＳ受信部（例えば図４のＧＰＳ受信部５０）を介して、ＧＰＳ放送局４からのＧＰＳ波（ＧＰＳ情報）を受信する。
【００１９】
さらに、ネットワークシステム１には、通信サービスの提供エリアを所望の大きさに分割したセル内にそれぞれ固定無線局である基地局５が設置されている。この基地局５には、移動無線局である携帯電話機２が例えばＷ−ＣＤＭＡ（Wideband-Code Division Multiple Access）と呼ばれる符号分割多元接続方式によって無線接続されており、例えば２［ＧＨｚ］の周波数帯の５［ＭＨｚ］帯域を利用して静止時に２［Ｍｂｐｓ］、移動時に３８４［Ｋｂｐｓ］のデータ転送速度で大容量データを高速にデータ通信することができる。
【００２０】
このように携帯電話機２は、Ｗ−ＣＤＭＡ方式によって大容量データを高速にデータ通信できることにより、音声通話だけでなく電子メールの送受信、簡易ホームページの閲覧、画像の送受信等の多種に及ぶデータ通信を実行できる。
【００２１】
また、基地局５は、有線回線を介して公衆回線網６に接続されており、公衆回線網６には、インターネットサービスプロバイダのアクセスサーバ７が接続されている。アクセスサーバ７には、ネットワーク８（例えば、インターネット、ＬＡＮ（Local Area Network）、ＷＡＮ（Wide Area Network）、その他の各種のネットワークを含む）を介して種々のコンテンツサーバ（図示せず）が接続されている。
【００２２】
図２は、本発明に係る情報処理装置として適用可能な携帯電話機２の外観の構成を表している。なお、図２［Ａ］は、携帯電話機２を約１８０度に見開いたときの正面から見た外観の構成を表しており、図２［Ｂ］は、携帯電話機２を見開いたときの側面から見た外観の構成を表している。
【００２３】
図２［Ａ］および［Ｂ］に示されるように、携帯電話機２は、中央のヒンジ部１１を境に第１の筐体１２と第２の筐体１３とがヒンジ結合されており、ヒンジ部１１を介して矢印Ｘ方向に折り畳み可能に形成される。携帯電話機２の内部の所定の位置には、送受信用のアンテナ（後述する図４のアンテナ４４）が設けられており、内蔵されたアンテナを介して基地局５との間で電波を送受信する。
【００２４】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００２５】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００２６】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２７】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００２８】
また、第１の筐体１２には、操作キー１４の下部にマイクロフォン１５が設けられており、マイクロフォン１５によって通話時のユーザの音声を集音する。また、第１の筐体１２には、携帯電話機２の操作を行うサイドキー１６が設けられている。
【００２９】
なお、第１の筐体１２は、背面側に図示しないバッテリパックが挿着されており、終話・電源キーがオン状態になると、バッテリパックから各回路部に対して電力が供給されて動作可能な状態に起動する。
【００３０】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図３のＣＣＤカメラ２１）で撮像した画像、外部のコンテンツサーバ（図示せず）より受信したコンテンツ、メモリカード（後述する図４のメモリカード４６）に記憶されているコンテンツを表示することができる。
【００３１】
また、液晶ディスプレイ１７には、携帯電話機２において受信された地上波ディジタルワンセグ放送波による番組（コンテンツ）を文字放送などとともに表示したり、携帯電話機２において受信された地上波ディジタルワンセグ放送波を録画中である旨（例えば○Ｒマークなど）または視聴中である旨を表示したりすることができる。
【００３２】
さらに、液晶ディスプレイ１７の上部の所定の位置にはスピーカ１８が設けられており、これにより、ユーザは音声通話することが可能である。
【００３３】
また、スピーカ１８の上部の所定の位置には、２つのＬＥＤ（Light Emitting Diode）２０が設けられており、ＬＥＤ２０を点滅あるいは点灯させることで、携帯電話機２において受信された地上波ディジタルワンセグ放送波を録画中である旨または視聴中である旨をユーザに報知することができる。勿論、ＬＥＤ２０以外のものを用いてユーザに報知するようにしてもよい。
【００３４】
図３は、本発明に係る情報処理装置として適用可能な携帯電話機２の他の外観の構成を表している。図３の携帯電話機２の状態は、図２の携帯電話機２の状態から矢印Ｘ方向に回動させた状態である。なお、図３［Ａ］は、携帯電話機２を閉じたときの正面から見た外観の構成を表しており、図３［Ｂ］は、携帯電話機２を閉じたときの側面から見た外観の構成を表している。
【００３５】
第２の筐体１３の上部には、ＣＣＤカメラ２１が設けられており、これにより、所望の撮影対象を撮像することができる。ＣＣＤカメラ２１の下部には、サブディスプレイ２２が設けられており、現在のアンテナの感度のレベルを示すアンテナピクト、携帯電話機２の現在の電池残量を示す電池ピクト、現在の時刻などが表示される。
【００３６】
サブディスプレイ２２の下部には、さらに、静電タッチパッド２３が設けられる。静電タッチパッド２３は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３７】
図４は、本発明に係る情報処理装置として適用可能な携帯電話機２の内部の構成を表している。
【００３８】
図４に示されるように、携帯電話機２は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、音楽制御部４８、地上波ディジタルワンセグ受信部４９、およびＧＰＳ受信部５０がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３９】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機２を統括的に制御する。ＲＡＭは、ＣＰＵが各種の処理を実行する上において必要なデータなどを適宜記憶する。
【００４０】
なお、主制御部３１には、現在の日付と時刻を正確に計測するタイマが内蔵されている。
【００４１】
携帯電話機２は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００４２】
また、携帯電話機２は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００４３】
さらに、携帯電話機２は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局５へ送信する。
【００４４】
これに対して携帯電話機２は、データ通信モード時に電子メールを受信する場合、アンテナ４４を介して基地局５から受信した受信信号を変復調回路部３９でスペクトラム逆拡散処理して元のテキストデータを復元した後、ＬＣＤ制御部３６を介して液晶ディスプレイ１７に電子メールとして表示する。
【００４５】
その後携帯電話機２は、ユーザの操作に応じて受信した電子メールを記録再生部４５を介してメモリカード４６に記録することも可能である。
【００４６】
携帯電話機２は、画像信号を送信しない場合には、ＣＣＤカメラ２１で撮像した画像信号をカメラインタフェース部３５及びＬＣＤ制御部３６を介して液晶ディスプレイ１７に直接表示する。
【００４７】
携帯電話機２は、データ通信モード時に画像信号を送信する場合、ＣＣＤカメラ２１で撮像された画像信号をカメラインタフェース部３５を介して画像エンコーダ３４に供給する。
【００４８】
画像エンコーダ３４は、ＣＣＤカメラ２１から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機２は、ＣＣＤカメラ２１で撮像中にマイクロフォン１５で集音した音声を音声コーデック４０を介してディジタルの音声信号として多重分離部３８に送出する。
【００４９】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００５０】
これに対して、携帯電話機２では、データ通信モード時に、Ｗｅｂページのデータを受信することができる。
【００５１】
すなわち、携帯電話機２において、データ通信モードに、例えばＷｅｂページを要求するデータを送信すると、その要求に応じて、Ｗｅｂページのデータが基地局５を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００５２】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５３】
また、携帯電話機２は、データ通信モード時に例えばＷｅｂページなどにリンクされた動画像ファイルのデータを受信する場合、アンテナ４４を介して基地局５から受信した受信信号を変復調回路部３９でスペクトラム逆拡散処理し、その結果得られる多重化信号を多重分離部３８に送出する。
【００５４】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００５５】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機２は、受信したＷｅｂページなどにリンクされたデータをユーザの操作により記録再生部４５を介してメモリカード４６に記録することが可能である。
【００５６】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００５７】
音楽制御部４８は、記憶部４７に記憶されているオーディオデータの再生動作および一時停止動作や、巻戻し機能、早送り機能、音量ダウン動作、音量アップ動作などの実行を制御する。
【００５８】
地上波ディジタルワンセグ放送波４９は、放送局３からの地上波ディジタルワンセグ放送波を受信し、受信された地上波ディジタルワンセグ放送波を多重分離部３８または記憶部４７に供給する。
【００５９】
ＧＰＳ受信部５０は、ＧＰＳ放送局４からのＧＰＳ波（ＧＰＳ情報）を受信する。
【００６０】
ところで、特許文献１に提案されている技術によれば、再生予約されたＴＶ放送番組の受信を開始するまでに携帯電話機の位置情報を取得し、この位置情報に適合する番組情報を用いてＴＶ放送番組を受信するように制御することができるが、ユーザが持ち運ぶことが可能であるという携帯電話機の特殊性から、地上波ディジタルワンセグ放送波の視聴処理または録画処理を実行する場合に不都合な状況が発生することがある。
【００６１】
具体的には、例えば地上波ディジタルワンセグ放送波の予約録画処理を実行する際に、放送地域が東京都である地上波ディジタルワンセグ放送波のうち、チャネル２１の放送番組を１９：００から予約録画すると予め設定されていた場合、ユーザが東京から京都まで出張に出かける用事があるために東京から京都に移動してしまい、予約録画開始時刻の１９：００の時点でユーザが京都に存在してしまうと、東京都の放送地域において放送局から送信される地上波ディジタルワンセグ放送波を携帯電話機は受信することができず、この予約録画処理は無効となってしてしまう。
【００６２】
また、従来の携帯電話機２においては、予約録画の録画条件を設定する際に、設定される複数の録画条件において予約録画の録画時間が重なると、ユーザに対して何らかのエラーメッセージを出したり、いずれかの予約録画を無効としたりしていたため、そもそも、録画時間が重複する予約録画の録画条件は設定することができなかった。
【００６３】
そこで、携帯電話機２において予約録画処理を実行する際の録画条件（例えば録画する放送チャネル、録画日、録画開始時刻、録画終了時刻などの録画条件）を設定する際に、録画時間が重複する予約録画を許容する（無効としない）とともに、全国に渡って放送地域（例えば東京都や神奈川県、大阪府など）ごとに存在する多数のチャネルリストの中から、予約録画する放送チャネルが含まれるチャネルリストを複数設定するようにする。
【００６４】
これにより、たとえ録画時間が重複する予約録画の録画条件が異なるチャネルリストごとに複数（例えば３つなど）設定された場合であっても、携帯電話機１において予約録画開始時刻に取得された位置情報に基づいて、設定された予約録画の録画条件に含まれる複数のチャネルリストの中から現在地に適切なチャネルリストを決定し、決定されたチャネルリストのうちの所望の放送チャネルにおける放送番組を受信することが可能となる。以下、この方法を用いた図４の携帯電話機２における録画条件設定処理および予約録画処理について説明する。
【００６５】
図５のフローチャートを参照して、図４の携帯電話機２における録画条件設定処理について説明する。この録画条件設定処理は、ユーザにより操作キー１４が操作されることにより録画条件設定処理を開始するとの指示がなされることで、開始される。
【００６６】
ステップＳ１において、主制御部３１は、ユーザにより操作キー１４が操作されることにより録画条件設定処理を開始するとの指示がなされたか否かを判定し、操作キー１４が操作されることにより録画条件設定処理を開始するとの指示がなされたと判定するまで待機する。
【００６７】
ステップＳ１において操作キー１４が操作されることにより録画条件設定処理を開始するとの指示がなされたと判定された場合、主制御部３１は、ＬＣＤ制御部３６を制御し、地上波ディジタルワンセグ放送波による放送番組を予約録画（記録）する際の条件を設定するための録画条件設定画面を液晶ディスプレイ１７に表示させる。液晶ディスプレイ１７は、ＬＣＤ制御部３６の制御に従い、地上波ディジタルワンセグ放送波による放送番組を予約録画（記録）する際の条件を設定するための録画条件設定画面を表示する。
【００６８】
例えば図６［Ａ］に示されるような録画条件設定画面が表示される。図６［Ａ］に示される録画条件設定画面の第１列目乃至第３列目には、「放送地域」、「録画時間」、および「ＣＨ」が表示されており、それぞれ、地上波ディジタルワンセグ放送波による放送番組を予約録画する放送地域、地上波ディジタルワンセグ放送波を予約録画する録画時間（すなわち、地上波ディジタルワンセグ放送波の予約録画を開始する予約録画開始時刻から、予約録画を終了する予約録画終了時刻までの間）、地上波ディジタルワンセグ放送波が送信される放送地域において予約録画されるチャネルを示している。
【００６９】
ステップＳ３において、主制御部３１は、操作入力制御部３３を介して、ユーザにより操作キー１４が操作されることにより、地上波ディジタルワンセグ放送波を予約録画する放送地域の入力を受け付ける。
【００７０】
例えば図６[Ａ]に示される録画条件設定画面は、ユーザにより操作キー１４が操作されることにより、地上波ディジタルワンセグ放送波を予約録画する放送地域の入力が受け付けられると、例えば図６［Ｂ］に示される録画条件設定画面に遷移する。
【００７１】
図６［Ｂ］に示される録画条件設定画面の例の場合、地上波ディジタルワンセグ放送波を予約録画する放送地域として例えば「東京都」の入力が受け付けられる。
【００７２】
ステップＳ４において、主制御部３１は、操作入力制御部３３を介して、ユーザにより操作キー１４が操作されることにより、地上波ディジタルワンセグ放送波を予約録画する録画時間（すなわち、地上波ディジタルワンセグ放送波の予約録画を開始する予約録画開始時刻から、予約録画を終了する予約録画終了時刻までの間）、および地上波ディジタルワンセグ放送波が送信される放送地域において予約録画されるチャネルの入力を受け付ける。
【００７３】
例えば図６[Ｂ]に示される録画条件設定画面は、ユーザにより操作キー１４が操作されることにより、地上波ディジタルワンセグ放送波を予約録画する録画時間（すなわち、地上波ディジタルワンセグ放送波の予約録画を開始する予約録画開始時刻から、予約録画を終了する予約録画終了時刻までの間）、および地上波ディジタルワンセグ放送波が送信される放送地域において予約録画されるチャネルの入力が受け付けられると、例えば図６［Ｃ］に示される録画条件設定画面に遷移する。
【００７４】
図６［Ｃ］に示される録画条件設定画面の例の場合、地上波ディジタルワンセグ放送波を予約録画する録画時間として例えば「１２／０５／２１：００〜２２：００」の入力が受け付けられる。また、地上波ディジタルワンセグ放送波が送信される放送地域において予約録画されるチャネルとして例えば「ＣＨ５」の入力が受け付けられる。
【００７５】
ステップＳ５において、主制御部３１は、液晶ディスプレイ１７に表示される録画条件設定画面上において入力が受け付けられた録画条件（例えば放送地域、録画時間、およびチャネル）に基づいて、録画条件を設定する。
【００７６】
ステップＳ６において、主制御部３１は、ユーザにより操作キー１４のうちの例えば確定キーが操作されることにより録画条件設定処理を終了するとの指示がなされたか否かを判定する。ステップＳ６においてユーザにより操作キー１４のうちの例えば確定キーが操作されることにより録画条件設定処理を終了するとの指示がなされていないと判定された場合、処理はステップＳ３に戻り、ステップＳ３以降の処理が繰り返し実行される。
【００７７】
これにより、例えば図６［Ｃ］に示される録画条件設定画面は図６［Ｄ］に示される録画条件設定画面に遷移する。例えば図６［Ｄ］の録画条件設定画面の第１行目の場合、「放送地域」は「東京都」であり、地上波ディジタルワンセグ放送波による放送番組を予約録画する放送地域として「東京都」が設定されたことを示している。「録画時間」は「１２／０５／２１：００〜２２：００」であり、地上波ディジタルワンセグ放送波を予約録画する録画時間（すなわち、地上波ディジタルワンセグ放送波の予約録画を開始する予約録画開始時刻から、予約録画を終了する予約録画終了時刻までの間）として「１２／０５／２１：００〜２２：００」が設定されたことを示している。「ＣＨ」は「ＣＨ５」であり、地上波ディジタルワンセグ放送波が送信される放送地域において予約録画されるチャネルとして「ＣＨ５」が設定されたことを示している。
【００７８】
一方、例えば図６［Ｄ］の録画条件設定画面の第２行目の場合、「放送地域」は「大阪府」であり、地上波ディジタルワンセグ放送波による放送番組を予約録画する放送地域として「大阪府」が設定されたことを示している。「録画時間」は「１２／０５／２１：００〜２２：００」であり、地上波ディジタルワンセグ放送波を予約録画する録画時間（すなわち、地上波ディジタルワンセグ放送波の予約録画を開始する予約録画開始時刻から、予約録画を終了する予約録画終了時刻までの間）として「１２／０５／２１：００〜２２：００」が設定されたことを示している。「ＣＨ」は「ＣＨ６」であり、地上波ディジタルワンセグ放送波が送信される放送地域において予約録画されるチャネルとして「ＣＨ６」が設定されたことを示している。
【００７９】
また、例えば図６［Ｄ］の録画条件設定画面の第３行目の場合、「放送地域」は「京都都」であり、地上波ディジタルワンセグ放送波による放送番組を予約録画する放送地域として「京都都」が設定されたことを示している。「録画時間」は「１２／０５／２１：３０〜２２：３０」であり、地上波ディジタルワンセグ放送波を予約録画する時間（すなわち、地上波ディジタルワンセグ放送波の予約録画を開始する予約録画開始時刻から、予約録画を終了する予約録画終了時刻までの間）として「１２／０５／２１：３０〜２２：３０」が設定されたことを示している。「ＣＨ」は「ＣＨ７」であり、地上波ディジタルワンセグ放送波が送信される放送地域において予約録画されるチャネルとして「ＣＨ７」が設定されたことを示している。
【００８０】
ステップＳ６においてユーザにより操作キー１４のうち例えば確定キーが操作されることにより録画条件設定処理を終了するとの指示がなされたと判定された場合、主制御部３１はステップＳ７で、設定された録画条件に関するデータである録画条件設定データを記憶部４７に記憶させる。記憶部４７は、主制御部３１の制御に従い、設定された録画条件に関するデータである録画条件設定データを記憶する。
【００８１】
この録画条件設定データには、設定された複数の放送地域、録画時間、およびチャネルに関するデータが含まれている。
【００８２】
その後、録画条件設定処理は終了する。
【００８３】
これにより、携帯電話機２において予約録画処理を実行する際の録画条件（例えば録画する放送チャネル、録画日、録画開始時刻、録画終了時刻などの録画条件）を設定する際に、録画時間が重複する予約録画を許容し（無効とせずに）、全国に渡って放送地域（例えば東京都や神奈川県、大阪府など）ごとに存在する多数のチャネルリストの中から、予約録画する放送チャネルが含まれる放送地域のチャネルリストを複数同時に設定することができる。
【００８４】
例えば図６［Ｄ］に示される録画条件設定画面の場合、録画時間が例えば２１：００乃至２２：００または２１：３０乃至２２：００において重複している（すなわち、予約録画の録画時間が全部または一部重複している）にもかかわらず、例えば「東京都」、「大阪府」、および「京都府」の３つの放送地域のチャネルリストにおいて、ユーザが所望するチャネル（例えば「ＣＨ５」、「ＣＨ６」、「ＣＨ７」など）の放送番組の予約録画を同時に設定することができる。
【００８５】
なお、それぞれの放送地域ごとに設定されるチャネルは、ユーザの好みに応じて、同一の放送番組に設定するようにしてもよいし、全く異なる別の放送番組に設定するようにしてもよい。
【００８６】
図７のフローチャートを参照して、図４の携帯電話機１における予約録画処理について説明する。この予約録画処理は、予め設定された予約録画の録画時間のうちの最も早い予約録画開始時刻になると、開始される。
【００８７】
ステップＳ１１において、主制御部３１は、記憶部４７に予め記憶されている録画条件設定データを読み出し、内蔵されたタイマを用いて、読み出された録画条件設定データに含まれる、予め設定された予約録画の録画時間のうちの最も早い予約録画開始時刻になったか否かを判定し、読み出された録画条件設定データに含まれる、予め設定された予約録画の録画時間のうちの最も早い予約録画開始時刻になったと判定するまで待機する。
【００８８】
例えば図６［Ｄ］の場合、予め設定された予約録画の録画時間のうちの最も早い予約録画開始時刻は「１２／０５／２１：００」であることから、現在の時間が「１２／０５／２１：００」になると、読み出された録画条件設定データに含まれる、予め設定された予約録画の録画時間のうちの最も早い予約録画開始時刻になったと判定される。
【００８９】
ステップＳ１１において読み出された録画条件設定データに含まれる、予め設定された録画時間のうちの最も早い予約録画開始時刻になったと判定された場合、主制御部３１はステップＳ１２で、ＧＰＳ波（ＧＰＳ情報）を受信するためにＧＰＳ受信部５０を起動する。
【００９０】
ステップＳ１３において、ＧＰＳ受信部５０は、主制御部３１の制御に従い、ＧＰＳ放送局４から送信されるＧＰＳ情報を受信し、受信されたＧＰＳ情報を主制御部３１にメインバス４１を介して供給する。このＧＰＳ情報には、携帯電話機２の現在地を示すＧＰＳ情報（例えば東京都港区西新橋２丁目などの現在地を示すＧＰＳ情報など）が含まれている。
【００９１】
ステップＳ１４において、主制御部３１は、ＧＰＳ受信部５０から供給されたＧＰＳ情報を取得する。ステップＳ１５において、主制御部３１は、取得されたＧＰＳ情報に基づいて、読み出された録画条件設定データに含まれる複数の放送地域のチャネルリストの中から、地上波ディジタルワンセグ放送波による放送番組を予約録画する際の放送地域のチャネルリストを決定する。
【００９２】
具体的には、例えば図６［Ｄ］に示されるように録画条件が予め設定され、かつ、携帯電話機２の現在地（すなわち、携帯電話機２を所有するユーザが存在する現在地）が「東京都港区西新橋２丁目」である場合、ＧＰＳ放送局４から取得されるＧＰＳ情報には例えば東京都港区西新橋２丁目などの現在地を示すＧＰＳ情報が含まれており、読み出された録画条件設定データに含まれる複数の放送地域（［東京都］、「大阪府」、および「京都府」）のチャネルリストの中から、地上波ディジタルワンセグ放送波による放送番組を予約録画する際の放送地域のチャネルリストとして「東京都」のチャネルリストが決定される。
【００９３】
また、例えば図６［Ｄ］に示されるように録画条件が予め設定され、かつ、携帯電話機２の現在地（すなわち、携帯電話機２を所有するユーザが存在する現在地）が「大阪府大阪市北区大淀中１丁目」である場合、ＧＰＳ放送局４から取得されるＧＰＳ情報には例えば大阪府大阪市北区大淀中１丁目などの現在地を示すＧＰＳ情報が含まれており、読み出された録画条件設定データに含まれる複数の放送地域（［東京都］、「大阪府」、および「京都府」）のチャネルリストの中から、地上波ディジタルワンセグ放送波による放送番組を予約録画する際の放送地域のチャネルリストとして「大阪府」のチャネルリストが決定される。
【００９４】
一方、例えば図６［Ｄ］に示されるように録画条件が予め設定され、かつ、携帯電話機２の現在地（すなわち、携帯電話機２を所有するユーザが存在する現在地）が「千葉県流山市美田」である場合、ＧＰＳ放送局４から取得されるＧＰＳ情報には例えば千葉県流山市美田などの現在地を示すＧＰＳ情報が含まれるが、読み出された録画条件設定データに含まれる複数の放送地域（［東京都］、「大阪府」、および「京都府」）のチャネルリスト中には、地上波ディジタルワンセグ放送波による放送番組を予約録画する際の適切な放送地域のチャネルリストはないため、地上波ディジタルワンセグ放送波による放送番組を予約録画する際の放送地域のチャネルリストは決定されない。
【００９５】
なお、地上波ディジタルワンセグ放送波による放送番組を予約録画する際の放送地域のチャネルリストを決定する際に、地上波ディジタルワンセグ放送波による放送番組を予約録画する際の適切な放送地域のチャネルリストとして複数（例えば２つなど）の放送地域のチャネルリストを決定することが可能である場合、予めユーザにより設定された放送地域の優先度に従い、優先度が高い放送地域のチャネルリストに決定するようにしてもよい。
【００９６】
ステップＳ１６において、主制御部３１は、地上波ディジタルワンセグ放送波による放送番組を予約録画する際の放送地域のチャネルリストがいずれかのチャネルリストに決定されたか否かを判定する。ステップＳ１６において地上波ディジタルワンセグ放送波による放送番組を予約録画する際の放送地域のチャネルリストがいずれかのチャネルリストに決定されたと判定された場合、主制御部３１はステップＳ１７で、決定された地上波ディジタルワンセグ放送波による放送番組を予約録画する際の放送地域のチャネルリストに対応するチャネルにおける放送番組を受信するために、地上波ディジタルワンセグ放送波受信部４９を起動する。
【００９７】
ステップＳ１８において、地上波ディジタルワンセグ放送波受信部４９は、主制御部３１の制御に従い、決定された地上波ディジタルワンセグ放送波による放送番組を予約録画する際の放送地域において、放送局３から送信される地上波ディジタルワンセグ放送波を逐次受信し、受信された地上波ディジタルワンセグ放送波を主制御部３１に供給する。
【００９８】
例えば図６［Ｄ］の場合、携帯電話機２の現在地（すなわち、携帯電話機２を所有するユーザが存在する現在地）が「大阪府大阪市北区大淀中１丁目」であるとき、大阪府の放送地域において、放送局３から送信される地上波ディジタルワンセグ放送波による「ＣＨ６」のチャネルにおける放送番組が受信される。
【００９９】
ステップＳ１９において、主制御部３１は、地上波ディジタルワンセグ放送波受信部４９から供給された地上波ディジタルワンセグ放送波を取得し、取得された地上波ディジタルワンセグ放送波による放送番組（決定された地上波ディジタルワンセグ放送波による放送番組を予約録画する際の放送地域のチャネルリストに対応するチャネルにおける放送番組）を記憶部４７に録画（記録）させる。記憶部４７は、主制御部３１の制御に従い、地上波ディジタルワンセグ放送波による放送番組（決定された地上波ディジタルワンセグ放送波による放送番組を予約録画する際の放送地域のチャネルリストに対応するチャネルにおける放送番組）を録画（記録）する。勿論、地上波ディジタルワンセグ放送波を録画（記録）させる場合、種々の圧縮方法を用いて録画（記録）するようにしてもよい。
【０１００】
ステップＳ２０において、主制御部３１は、内蔵されたタイマを用いて、読み出された録画条件設定データに含まれる予め設定された録画時間のうちの、予約録画処理が実行されている録画条件の予約録画終了時刻になったか否かを判定する。ステップＳ２０において読み出された録画条件設定データに含まれる予め設定された録画時間のうちの、予約録画処理が実行されている録画条件の予約録画終了時刻になっていないと判定された場合、処理はステップＳ１８に戻り、ステップＳ１８以降の処理が繰り返し実行される。これにより、予め設定された予約録画開始時刻から予約録画終了時刻まで地上波ディジタルワンセグ放送波による放送番組の予約録画処理が実行される。
【０１０１】
ステップＳ２０において読み出された録画条件設定データに含まれる予め設定された録画時間のうちの、予約録画処理が実行されている録画条件の予約録画終了時刻になったと判定された場合、予約録画処理は終了する。
【０１０２】
一方、ステップＳ１５において地上波ディジタルワンセグ放送波による放送番組を録画する際のチャネルリストがいずれかのチャネルリストに決定されていないと判定された場合、主制御部３１はステップＳ２０で、録画処理をキャンセルする。これにより、予約録画処理は実行されない。
【０１０３】
本発明の実施形態においては、予め設定された予約録画の録画時間のうちの最も早い予約録画開始時刻になると、ＧＰＳ放送局４からＧＰＳ情報を受信し、受信されたＧＰＳ情報に基づいて、予め設定された録画条件に含まれる複数の放送地域のチャネルリストの中から、地上波ディジタルワンセグ放送波による放送番組を予約録画する際の放送地域のチャネルリストを決定することができる。その後決定された地上波ディジタルワンセグ放送波による放送番組を予約録画する際の放送地域において、放送局３から送信される地上波ディジタルワンセグ放送波を逐次受信し、受信された地上波ディジタルワンセグ放送波による放送番組（決定された地上波ディジタルワンセグ放送波による放送番組を予約録画する際の放送地域のチャネルリストに対応するチャネルにおける放送番組）を録画（記録）することができる。
【０１０４】
これにより、たとえ録画時間が重複する予約録画の録画条件が異なるチャネルリストごとに複数（例えば３つなど）設定された場合であっても、携帯電話機１において予約録画開始時刻に取得された位置情報に基づいて、設定された予約録画の録画条件に含まれる複数のチャネルリストの中から現在地に適切なチャネルリストを決定し、決定されたチャネルリストのうちの所望の放送チャネルにおける放送番組を受信することができる。
【０１０５】
従って、ユーザが持ち運ぶことが可能であるという携帯電話機の特殊性から、例えばユーザが東京から大阪まで出張に出かける用事があるために東京から大阪に移動してしまい、予約録画開始時刻の２１：００の時点でユーザが大阪に存在してしまったとしても、予め設定された、大阪府の放送地域において放送局３から送信される地上波ディジタルワンセグ放送波による所望のチャネルにおける放送番組を受信して録画することができる。その結果、ユーザが出張や旅行などで本来居住している場所（例えば東京都など）から離れてしまったとしても、出張先や旅行先の放送地域において放送される地上波ディジタルワンセグ放送波による放送番組を受信して録画することができ、ユーザが持ち運ぶことが可能であるという携帯電話機の特殊性に伴う不都合の発生を防止することができる。
【０１０６】
以上により、地上波ディジタル放送波や地上波ディジタルワンセグ放送波を利用する場合における利便性を向上させることができる。
【０１０７】
なお、本発明の実施形態においては、地上波ディジタルワンセグ放送波による放送番組を録画する際のチャネルリストがいずれかのチャネルリストに決定されていないと判定された場合、録画処理をキャンセルし、予約録画処理を実行しないようしたが、このような場合に限られず、予めユーザにより設定された優先度の高い放送地域のチャネルリストに強制的に決定し、決定された放送地域のチャネルリストに対応するチャネルにおける放送番組を受信して予約録画処理を実行するようにしてもよいし、あるいは、複数設定された放送地域のチャネルリストに対応するチャネルにおける放送番組を順次受信し、受信可能な放送番組において予約録画処理を実行するようにしてもよい。
【０１０８】
また、本発明の実施形態においては、携帯電話機２の現在地に関する情報として、ＧＰＳ情報を受信し、受信されたＧＰＳ情報を用いるようにしたが、これ以外にも、例えば基地局５からの基地局情報を用いるようにしてもよい。なお、ＧＰＳ情報や基地局情報を「位置情報」と定義する。
【０１０９】
ところで、携帯電話機２において地上波ディジタルワンセグ放送波の視聴処理においても、全国に渡る多数のチャネルリストの対応表であるチャネルマップを参照して、携帯電話機２の現在地に関する位置情報を用いて、携帯電話機２の現在地に適切な放送地域のチャネルリストを決定するようにしてもよい。以下、この方法を用いた図４の携帯電話機２における視聴処理について説明する。
【０１１０】
図８のフローチャートを参照して、図４の携帯電話機２における視聴処理について説明する。この視聴処理は、ユーザにより操作キー１４が操作されることにより視聴処理を開始するとの指示がなされることで、開始される。
【０１１１】
ステップＳ３１において、主制御部３１は、ユーザにより操作キー１４が操作されることにより視聴処理を開始するとの指示がなされたか否かを判定し、ユーザにより操作キー１４が操作されることにより視聴処理を開始するとの指示がなされたと判定するまで待機する。
【０１１２】
ステップＳ３１においてユーザにより操作キー１４が操作されることにより視聴処理を開始するとの指示がなされたと判定された場合、主制御部３１はステップＳ３２で、ＧＰＳ波（ＧＰＳ情報）を受信するためにＧＰＳ受信部５０を起動する。
【０１１３】
ステップＳ３３において、ＧＰＳ受信部５０は、主制御部３１の制御に従い、ＧＰＳ放送局４から送信されるＧＰＳ情報を受信し、受信されたＧＰＳ情報を主制御部３１にメインバス４１を介して供給する。このＧＰＳ情報には、携帯電話機２の現在地を示すＧＰＳ情報（例えば東京都港区西新橋２丁目などの現在地を示すＧＰＳ情報など）が含まれている。
【０１１４】
ステップＳ３４において、主制御部３１は、ＧＰＳ受信部５０から供給されたＧＰＳ情報を取得する。ステップＳ３５において、主制御部３１は、記憶部４７に予め記憶されているチャネルマップ（全国に渡る多数のチャネルリストの対応表）を読み出す。ステップＳ３６において、主制御部３１は、読み出されたチャネルマップを参照して、取得されたＧＰＳ情報に基づいて、地上波ディジタルワンセグ放送波による放送番組の視聴処理を実行する際の放送地域のチャネルリストを決定する。
【０１１５】
ステップＳ３７において、主制御部３１は、決定された地上波ディジタルワンセグ放送波による放送番組の視聴処理を実行する際の放送地域のチャネルリストに対応するチャネルにおける放送番組を受信するために、地上波ディジタルワンセグ放送波受信部４９を起動する。なお、この場合におけるチャネルは、予めその放送地域のチャネルリストに対応付けられた所定のチャネルでもよいし、最も若いチャネルにするようにしてもよい。勿論、ユーザが好みに応じて変更するようにしてもよい。
【０１１６】
ステップＳ３８において、地上波ディジタルワンセグ放送波受信部４９は、主制御部３１の制御に従い、決定された地上波ディジタルワンセグ放送波による放送番組の視聴処理を実行する際の放送地域において、放送局３から送信される地上波ディジタルワンセグ放送波を逐次受信し、受信された地上波ディジタルワンセグ放送波を主制御部３１に供給する。
【０１１７】
ステップＳ３９において、主制御部３１は、地上波ディジタルワンセグ放送波受信部４９から供給された地上波ディジタルワンセグ放送波を取得し、取得された地上波ディジタルワンセグ放送波を多重分離部３８する。
【０１１８】
多重分離部３８は、主制御部３１の制御に従い、地上波ディジタルワンセグ放送波（多重化信号）を分離することにより符号化画像信号と音声信号とに分け、同期バス４２を介して符号化画像信号を画像デコーダ３７に供給するとともに音声信号を音声コーデック４０に供給する。画像デコーダ３７は、符号化画像信号を例えばＨ．２６４／ＡＶＣなどの所定の符号化方式に対応した復号化方式でデコードすることにより再生動画像信号を生成し、生成された再生動画像信号をＬＣＤ制御部３６を介して液晶ディスプレイ１７に供給する。これにより、動画像データに基づく動画像が表示され、ユーザは地上波ディジタルワンセグ放送波による放送番組を視聴することができる。
【０１１９】
このとき同時に、音声コーデック４０は、音声信号を例えばＭＰＥＧ−２  ＡＡＣなどの所定の符号化方式に対応した復号化方式でデコードすし、デコードされた音声信号をアナログ音声信号に変換した後、これをスピーカ１８に供給し、これにより、例えば、動画像データに伴う音声信号が再生される。
【０１２０】
これにより、携帯電話機２の現在地に適切なチャネルリストに含まれるチャネルにおける放送番組を自動的にユーザに視聴させることができる。従って、ユーザはわざわざ視聴処理時にチャネルを選択する必要がなくなり、その結果、地上波ディジタル放送波や地上波ディジタルワンセグ放送波を利用する場合における利便性を向上させることができる。
【０１２１】
なお、位置情報（ＧＰＳ情報や基地局情報など）に基づいて携帯電話機２の現在地が切り替わったか否かを判定し、携帯電話機２の現在地が切り替わったと判定された場合、視聴処理により液晶ディスプレイ１７に表示されるチャネルを自動的に切り替えたり、録画処理を自動的に開始するようにしてもよい。
【０１２２】
また、本発明の実施形態においては、本発明を、地上波ディジタルワンセグ放送波を録画する際に適用するようにしたが、このような場合に限られず、例えば地上波ディジタル放送波を録画する際や地上波ディジタル３セグメントラジオ放送波を録音する際など他の方式の記録の際にも適用することができる。
【０１２３】
なお、本発明は、携帯電話機２以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０１２４】
また、本発明の実施形態において説明した一連の処理は、ソフトウェアにより実行させることもできるが、ハードウェアにより実行させることもできる。
【０１２５】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１２６】
【図１】本発明に係るネットワークシステムの全体の構成を示す図。
【図２】本発明に係る情報処理装置に適用可能な携帯電話機の外観の構成を示す外観図。
【図３】本発明に係る情報処理装置に適用可能な携帯電話機の他の外観の構成を示す外観図。
【図４】本発明に係る情報処理装置に適用可能な携帯電話機の内部の構成を示すブロック図。
【図５】図４の携帯電話機における録画条件設定処理を説明するフローチャート。
【図６】図４の液晶ディスプレイに表示される録画条件設定画面の遷移を表す遷移図。
【図７】図４の携帯電話機における予約録画処理を説明するフローチャート。
【図８】図４の携帯電話機における視聴処理を説明するフローチャート。
【符号の説明】
【０１２７】
１…ネットワークシステム、２…携帯電話機、３…放送局、４…ＧＰＳ放送局、５…基地局、６…公衆回線網、７…アクセスサーバ、８…ネットワーク、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＬＥＤ，２１…ＣＣＤカメラ、２２…サブディスプレイ、２３…静電タッチパッド、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、４９…地上波ディジタルワンセグ放送波受信部、５０…ＧＰＳ受信部。
【図１】
2008147971.tif 000003
【図２】
2008147971.tif 000004
【図３】
2008147971.tif 000005
【図４】
2008147971.tif 000006
【図５】
2008147971.tif 000007
【図６】
2008147971.tif 000008
【図７】
2008147971.tif 000009
【図８】
2008147971.tif 000010